(57)【特許請求の範囲】
【請求項１】
副走査送りされる感光性記録媒体に対して、主走査方向に画素による１ライン分の発光体が配設された記録ヘッドを画情報に応じて駆動することによって光記録を行う光記録装置であって、記録ヘッドを、基板に画素単位による電子放出用のエミッタがアレイ状に配設されたエミッタアレイと、そのエミッタアレイの先端部分に配設されたゲート電極と、エミッタアレイの先方に対面するように配設され、一面に蛍光膜が形成された光透過性の電極からなるアノードとによって構成され、エミッタアレイの各エミッタから放出される電子を垂直方向に偏向させる偏向電極を設けるとともに、アノードの面に互いに異なる色の蛍光膜を垂直方向に並べて形成して、偏向電極の印加電圧を調整することによって偏向した電子が任意の色の蛍光膜に選択的に当たるようにしたことを特徴とする光記録装置。
【請求項２】
副走査送りされる感光性記録媒体に対して、主走査方向に画素構成による１ライン分の発光体が配設された記録ヘッドを画情報に応じて駆動することによって光記録を行う光記録装置であって、記録ヘッドを、基板に画素単位による電子放出用のエミッタがアレイ状に配設されたエミッタアレイと、そのエミッタアレイの先端部分に配設されたゲート電極と、エミッタアレイの先方に垂直方向に対して傾斜面をもって対向するように配設され、前面に蛍光膜が形成された光反射性の電極からなるアノードとによって構成したことを特徴とする光記録装置。
【請求項３】
少なくとも２つの記録ヘッドを相対的に半画素分ずらして並設したことを特徴とする前記第１項または第２項の記載による光記録装置。
【請求項４】
エミッタアレイの各エミッタから放出される電子を垂直方向に偏向させる偏向電極を設けるとともに、アノードの面に互いに異なる色の蛍光膜を垂直方向に並べて形成して、偏向電極の印加電圧を調整することによって偏向した電子が任意の色の蛍光膜に選択的に当たるようにしたことを特徴とする前記第２項の記載による光記録装置。
【請求項５】
Ｒ（赤）、Ｇ（緑）、Ｂ（青）の各色の蛍光膜が形成された３つの記録ヘッドを並設して、各記録ヘッドを各色の画情報によりそれぞれ駆動してカラー記録を行わせるようにしたことを特徴とする前記第１項または第２項の記載による光記録装置。
【請求項６】
Ｒ（赤）、Ｇ（緑）、Ｂ（青）の各色用の記録ヘッドを相対的に半画素分ずらして並設したことを特徴とする前記第５項の記載による光記録装置。
【発明の詳細な説明】
【０００１】
【産業上の利用分野】
本発明は、画素構成による１ライン分の発光体が配設された記録ヘッドを用いて光記録を行う光記録装置に関する。
【０００２】
【従来の技術】
従来、画素に対応したピンスポットになるようにビームを絞ったレーザを用いて、副走査送りされる感光性記録媒体に対して、画情報に応じてレーザの点滅駆動を行いながら、レーザ光の主走査を行って露光による光記録を行う光記録装置がある。
【０００３】
このようなレーザ式による光記録装置では、光源および光走査のための光学系、画情報による駆動系の構造が複雑で大形化してしまっている。
【０００４】
また、従来、画素構成によるＬＥＤチップが主走査方向に１ライン分配設された記録ヘッドを用いて、副走査送りされる感光性記録媒体に対して光記録を行うようにした光記録装置がある。
【０００５】
このような画素構成によるＬＥＤチップが１ライン分配設された記録ヘッドを製造することが困難であり、画素密度が低いものになっている。
【０００６】
最近では、より画素密度の高いハイビジョン画像の記録が望まれている。これは、３５ｍｍシネフィルムでもいままでの４倍近い画素密度による画像の記録を行わせることを考えると、縦方向だけでも２２５０以上の画素が必要になる。この程度の画素密度による光記録を実現させようとするためには、縦サイズで１５μｍ以下の微小な画素とする必要があり、このような微小な画素が１ライン分配設されたＬＥＤチップによる記録ヘッドを製造することは困難である。
【０００７】
【発明が解決しようとする課題】
解決しようとする問題点は、光記録を行わせるに際して、レーザを用いるのでは構造が複雑で大形化してしまうことである。また、画素構成による１ライン分のＬＥＤチップが配設された記録ヘッドを用いて光記録を行わせる場合、その記録ヘッドの製造上の問題からして画素密度が低く、高細密な画像の記録を行わせることができないことである。
【０００８】
【課題を解決するための手段】
本発明は、副走査送りされる感光性記録媒体に対して、主走査方向に画素による１ライン分の発光体が配設された記録ヘッドを画情報に応じて駆動することによって光記録を行う光記録装置にあって、簡単な構成により、高細密な光記録を行わせることができるようにするべく、記録ヘッドを、基板に画素単位による電子放出用のエミッタがアレイ状に配設されたエミッタアレイと、そのエミッタアレイの先端部分に配設されたゲート電極と、エミッタアレイの先方に対面するように配設され、一面に蛍光膜が形成された光透過性の電極からなるアノードとによって構成するようにしている。そして、特に、任意の色での光記録を行わせることができるようにするべく、エミッタアレイの各エミッタから放出される電子を垂直方向に偏向させる偏向電極を設けるとともに、アノードの面に互いに異なる色の蛍光膜を垂直方向に並べて形成して、偏向電極の印加電圧を調整することによって偏向した電子が任意の色の蛍光膜に選択的に当たるようにしている。
【０００９】
また、本発明は、記録ヘッドを、基板に画素単位による電子放出用のエミッタがアレイ状に配設されたエミッタアレイと、そのエミッタアレイの先端部分に配設されたゲート電極と、エミッタアレイの先方に垂直方向に対して傾斜面をもって対向するように配設され、前面に蛍光膜が形成された光反射性の電極からなるアノードとによって構成するようにしている。
【００１０】
【実施例】
本発明による光記録装置にあっては、図１に示すように、主走査Ｘ方向に画素構成による１ライン分の発光体が配設された記録ヘッド１を画情報に応じて駆動することにより、モータ２によって駆動されるフィルム巻取機構３によって副走査Ｙ方向に送られる感光性フィルム（フォトフイルム）４に対して光記録を行うように構成されている。
【００１１】
フィルム巻取機構３にはフィルム４の送り量を検出するためのエンコーダ５が設けられている。そして、制御部Ｇが、エンコーダ５の出力信号を読み込んでフィルム４の送り量を検出しながら、モータドライバ７を介してフィルム巻取機構３におけるモータ２の駆動制御を行わせるようになっている。
【００１２】
また、制御部６は、フィルム４の副走査送りに同期して、画像メモリ８から各１ライン分の画情報を逐次読み出してヘッドドライバ９に与えて、そのヘッドドライバ９によって記録ヘッド１の駆動が行われるようになっている。
【００１３】
その記録ヘッド１は、図２および図３に示すように、基板１０に画素単位による電界型の電子放出用冷陰極によるフィールドエミッタ１１がアレイ状に配設されたエミッタアレイと、そのエミッタアレイの先端部分に配設されたゲート電極１２と、エミッタアレイの先方に対面するように配設され、一面に蛍光膜１３が形成されたアノード電極１４とが、ケース１５内に一体的に設置されることによって構成されている。
【００１４】
この実施例では、光透過形のものになるように、アノード電極１４を透明電極としたうえで、そのアノード電極１４が取り付けられるケース１５の前面部分を光透過性の材料によって形成するようにしている。
【００１５】
エミッタアレイとしては、フィールドエミッタ１１がプローブ状に画素単位として１ライン分配設されるように、基板１０上に成膜された金属薄膜をエッチングすることによって、マイクロマジニング加工によって微細に形成される。
【００１６】
このように構成された記録ヘッド１では、各１ライン分ごとの画情報に応じて、エミッタアレイにおける各プローブ状のフィールドエミッタ１１から適宜電子放出がなされて、その各放出電子ｅが蛍光膜１３を通過して画素構成による記録光Ｌとしてヘッド前方に放出して、各１ライン分ごとに画素構成による任意の発光パターンを得ることができるようになる。
【００１７】
しかして、本発明による光記録装置によれば、記録ヘッド１における画素構成による発光源となるフィールドエミッタ１１からなるエミッタアレイをマイクロマシニング加工によって微細に形成することができ、感光性フィルム４に高細密な画像の記録を容易に行わせることができるようになる。
【００１８】
また、本発明によれば、高画素密度による記録ヘッド１を小形に製造することができ、設置上の制約が小さくなり、フォトカメラなどに簡単に組み込んでフォトフィルムなどに各種画情報の記録を行わせることができるようになる。
【００１９】
図４は記録ヘッドの他の構成例を示しており、ここでは光反射形の記録ヘッド１′になるように、アルミニウムなどの光反射特性のよい導電性材料からなるアノード電極１４′を垂直方向に対して４５゜傾けて設置するようにしている。
【００２０】
しかして、このように構成されたものでは、各フィールドエミッタ１１からの放出電子ｅが蛍光膜１３を通過して生じた画素構成による記録光Ｌがアノード電極１４′で反射してヘッド上方に放出することになる。
【００２１】
図４の構成では、ケース１５をガラス板によって形成したうえで、散乱光の影響を抑制するために、そのケース１５の上面部分にマスク１６をかけるようにしている。
【００２２】
また、本発明は、図５に示すように、空間画素ずらし法として、少なくとも２つの記録ヘッド１−１，１−２を相対的に半画素分ずらして並設して、みかけ上の画素間隔が各記録ヘッド１−１．１−２における画素Ｐの半分になるようにして、光記録の画素密度をより高めることができるようにしている。
【００２３】
この場合には、記録ヘッド１−１の画素列と記録ヘッド１−２の画素列とが感光性フィルムの副走査送りＹ方向に１ピッチｐ分ずれているために、同一ライン上での光記録を行わせるべく、記録ヘッド１−１に対して記録ヘッド１−２を１ピッチｐ分遅らせて駆動させるように制御する必要がある。
【００２４】
図６はカラー記録を行わせるようにしたときの記録ヘッド部分の構成を示している。図２および図３に示す記録ヘッド１における蛍光膜１３の発光色がＲ（赤）、Ｇ（緑）、Ｂ（青）の各色になるようにした３つの記録ヘッド１（Ｒ），１（Ｇ），１（Ｂ）を並設して、各記録ヘッドを各色の画情報によりそれぞれ駆動してカラー記録を行わせることができるようにしている。
【００２５】
ここでは、Ｒ（赤）、Ｇ（緑）、Ｂ（青）の各色用の記録ヘッド１（Ｒ），１（Ｇ），１（Ｂ）を相対的に半画素分ずらして並設して、記録されるカラー画像の画素密度を高めるようにしている。
【００２６】
図７は、各色用の記録ヘッド１（Ｒ），１（Ｇ），１（Ｂ）により、副走査Ｙ方向に送られる感光性フィルム４に対してカラー記録を行わせるときのタイミングを示している。
【００２７】
まず、図７の（ａ）に示すように、エンコーダ５によって感光性フィルム４の送り量を検出しながら、制御部Ｇの制御下で、記録ヘッド１（Ｂ）にＢ（青）色用のデータＤＡＴＡ−Ｂを与えて感光性フィルム４に１ライン分のＢ（青）色の記録を行う。次に、図７の（ｂ）に示すように、感光比フィルム４が副走査Ｙ方向に１ピッチｐ分送られたときに、記録ヘッド１（Ｇ）にＧ（緑）色用のデータＤＡＴＡ−Ｇを与えて、感光性フィルム４に１ラィン分のＧ（緑）色の記録を行う。次いで、図７の（ｃ）に示すように、感光性フィルム４が副走査Ｙ方向にさらに１ピッチｐ分送られたときに、記録ヘッド１（Ｒ）にＲ（赤）色用のデータＤＡＴＡ−Ｒを与えて、感光性フィルム４に１ライン分のＲ（赤）色の記録を行う。したがって、同一ライン上に重ねてＲ（赤）、Ｇ（緑）、Ｂ（青）の各色の記録が順次行われて、感光性フイルム４に対してカラー記録が行われることになる。
【００２８】
図８は記録ヘッド１のさらに他の構成を示しており、ここでは、ゲート電極１２の先に、フィールドエミッタ１１からの放出電子ｅを垂直方向に偏向させる偏向電極１７を設けるとともに、その偏向方向に、発光色の異なる蛍光膜１３１，１３２，１３３をアノード電極１４面に成膜形成するようにしている。
【００２９】
このように構成されたものでは、偏向電極１７に印加する電圧を調整することにより、フィールドエミッタ１１からの放出電子ｅの軌道を垂直方向に適宜偏向させて、互いに異なる発光色をもった蛍光膜１３１，１３２，１３３に選択的に照射させることができる。
【００３０】
したがって、この場合には、フィールドエミッタ１１からの放出電子ｅを蛍光膜１３１，１３２，１３３に選択的に照射させることによって、それぞれ異なる色による記録光Ｌ（Ｒ），Ｌ（Ｇ），Ｌ（Ｂ）を得ることができ、任意の色での光記録を行わせることができるようになる。
【００３１】
以上の実施例では記録ヘッド１または１′を用いて感光性フィルム４に光記録を行わせる場合を示したが、図９に示すように、同一の記録ヘッド１または１′を用いて、電子写真式プリンタにおける感光体ドラム１８に対して光記録を行わせるようにすることも可能である。
【００３２】
【効果】
以上、本発明による光記録装置にあっては、画素構成による１ライン分の発光源となる記録ヘッドを、基板に画素単位による電子放出用のエミッタがアレイ状に配設されたエミッタアレイと、そのエミッタアレイの先端部分に配設されたゲート電極と、エミッタアレイの先方に配設された一面に蛍光膜が形成されたアノードとによって構成するようにしているので、マイクロマシニング加工によって容易かつ微細に製造することができるようになり、簡単な構成により、高細密な光記録を行わせることができるようになる。また、カラー記録の対応も容易になすことができるようになる。そして、特に、エミッタアレイの各エミッタから放出される電子を垂直方向に偏向させる偏向電極を設けるとともに、アノードの面に互いに異なる色の蛍光膜を垂直方向に並べて形成して、偏向電極の印加電圧を調整することによって偏向した電子が任意の色の蛍光膜に選択的に当たるようにしているので、任意の色での光記録を容易に行わせることができるという利点がある。
【図面の簡単な説明】
【図１】本発明による光記録装置の一実施例を示す簡略構成図である。
【図２】同実施例における記録ヘッドの平断面図である。
【図３】同実施例における記録ヘッドの正断面図である。
【図４】記録ヘッドの他の構成例を示す正断面図である。
【図５】２つの記録ヘッドを相対的に半画素分ずらして設置したときの画素配列を示す図である。
【図６】３つの記録ヘッドを並設してカラー記録を行わせるようにしたときの各色の画素配列を示す図である。
【図７】各色用の記録ヘッドにより、副走査送りされる感光性フィルムに対してカラー記録を行わせるときのタイミングを示す図である。
【図８】記録ヘッドのさらに他の構成例を示す正断面図である。
【図９】電子写真式プリンタにおける感光体ドラムに対して光記録を行わせるようにしたときの感光体ドラムおよび記録ヘッド部分の斜視図である。
【符号の説明】
１  記録ヘッド
１′  記録ヘッド
２  モータ
３  フィルム巻取機構
４  感光性フィルム
５  エンコーダ
６  制御部
７  モータドライバ
８  画像メモリ
９  ヘッドドライバ
１１  フィールドエミッタ
１２  ゲート電極
１３  蛍光膜
１４  アノード電極
１４′  アノード電極
【図１】
0003584307.tif 000002
【図２】
0003584307.tif 000003
【図３】
0003584307.tif 000004
【図４】
0003584307.tif 000005
【図５】
0003584307.tif 000006
【図６】
0003584307.tif 000007
【図７】
0003584307.tif 000008
【図８】
0003584307.tif 000009
【図９】
0003584307.tif 000010